(57)【要約】【課題】支障を起こさずに原稿を取り除くことができる画像読取装置を提供する。【解決手段】中空筐体部材３により、第１の面に読み取り用の原稿が戴置される原稿戴置領域を含む平板形状を有する読み取り用ガラス２の第１の面の反対側の面を開口部により支え、原稿戴置領域を第１の面の上で所定の向きに平行移動して得られる領域が略平坦に形成されている。【選択図】      図１
2014120876.tif 000002
【特許請求の範囲】
【請求項１】
第１の面に読み取り用の原稿が戴置される原稿戴置領域を含む平板形状を有する読み取り用ガラスと、
前記読み取り用ガラスの前記第１の面の反対側の面を開口部により支える中空筐体部材と、を備え、
前記原稿戴置領域を前記第１の面の上で所定の向きに平行移動して得られる領域が略平坦に形成されていることを特徴とする画像読取装置。
【請求項２】
前記読み取り用ガラス上への原稿載置時に原稿端を突き当てて位置決めするための突き当てと原稿スケールとを兼ね、前記読み取り用ガラス上の副走査方向の上流側と原稿載置時の奥側の端部に直角に配置される二つのスケールを、更に備えたことを特徴とする請求項１記載の画像読取装置。
【請求項３】
前記中空筐体部材は、
前記読み取り用ガラスの下面に接合される上部連結部材と、
前記上部連結部材と結合する筐体下部部材と、
を備えたことを特徴とする請求項１又は２記載の画像読取装置。
【請求項４】
前記上部連結部材は、前記読み取り用ガラスの下面の副走査方向に平行した両端に接合される下側に伸びた複数の部材であり、
前記筐体下部部材は、前記読み取り用ガラスと同形状の平板であり副走査方向に平行した両端に上側に伸びた複数の縦壁部を有しこの縦壁部により前記上部連結部材と結合する、ことを特徴とする請求項３記載の画像読取装置。
【請求項５】
前記上部連結部材は、前記読み取り用ガラスの下面の周縁に接合され下側に伸びた先で縁部を備える複数の部材であり、
前記筐体下部部材は、前記読み取り用ガラスと同形状の平板の中央部を窪めた凹形状を有しこの凹形状の上端に縁部を備えこの縁部と前記上部連結部材の前記縁部とを結合する、ことを特徴とする請求項３記載の画像読取装置。
【請求項６】
前記筐体下部部材の底部に主走査方向又は副走査方向に沿って数本の起伏を設けた、ことを特徴とする請求項５記載の画像読取装置。
【請求項７】
中央部分が空のロの字形状を有し前記読み取り用ガラスの周囲に設定し、設定したときに前記読み取り用ガラスとの間で段差が生じない厚さを有する上部外装部材を更に備えたことを特徴とする請求項５又は６記載の画像読取装置。
【請求項８】
自身の画像読取装置の側面をカバーする外装カバーを更に備え、前記外装カバーのうち画像読取装置の前面側をカバーする部分は、カバーする位置に設定されたときに、前記外装カバーの上面と前記読み取り用ガラス上面との間で段差がない、ことを特徴とする請求項４又は７記載の画像読取装置。
【請求項９】
前記外装カバーの材料は樹脂であることを特徴とする請求項８記載の画像読取装置。
【発明の詳細な説明】
【技術分野】
【０００１】
本発明は、画像読取装置に関し、読み取り用のガラスに原稿を戴置して読み取る画像読取装置に関する。
【背景技術】
【０００２】
読み取り用のガラスに戴置された原稿をスキャナにより走査して原稿の画像を読み取る画像読取装置が普及している。
【０００３】
画像読取装置の一例として特許文献１に開示の複写機がある。特許文献１に開示の複写機は、図８に示すように、原稿を載置する原稿載置ガラス２０と、原稿を定位置に載置するための原稿スケール２１と、原稿の画像を読み取る読み取り部２２を備えている。読み取り部２２は、原稿載置ガラス２０に載置された原稿を走査するスキャナと、原稿に光を当てその反射光に基づいて原稿の画像を読み取る光学系を有する。図８は、特に複写機の原稿を読み取る部分を示している。図９は、原稿載置ガラス２０上に原稿が載置された状態を示す図である。原稿スケール２１（原稿スケールＡ２４及び原稿スケールＢ２５）は、原稿を原稿載置ガラス２０上に載置するときに、原稿端を各原稿スケールに突き当てて位置決めするためのものであり、ガラス上に段差を付けて設けている。原稿スケールＡ２４は、原稿載置ガラス２０上に載置された原稿の一辺を読み取り開始基準位置Ａに位置決めするためのものである。原稿スケールＢ２５は原稿の他の一辺を奥方の基準位置Ｂに位置決めするためのものである。
【０００４】
複写機の利用者は、図９に示すように、原稿載置ガラス２０に原稿を載置し、例えば複写開始スイッチを押す。すると、複写機は、スキャナを走査し所定の読み取り開始位置から原稿の画像を読み取る。
【０００５】
ここで、図８に示すように、原稿スケール２１は原稿載置ガラス２０上に段差を付けて設けられ、この原稿スケール２１の上端と同レベルに筐体２３の上端が設けられている。この原稿スケール２１の上端と同レベルを有する筐体２３の部分は、通常、図１０に示すように、原稿載置ガラス２０を囲って設けられている。図１０は、原稿載置ガラス２０を囲って筐体２３が設けられている画像読取装置の一例を示す図である。したがって、この原稿載置ガラス２０を囲った筐体２３の上端は、原稿載置ガラス２０より高い位置にあり、この筐体２３の部分と原稿載置ガラス２０とには段差がある。
【０００６】
このため、複写機の利用者は、複写機により原稿の画像を読み取ったのち、原稿をガラス上から取り除く際、原稿が筐体２３と原稿載置ガラス２０との間の段差に引っ掛からないように注意して取り除く。
【先行技術文献】
【特許文献】
【０００７】
【特許文献１】特開平２−１５１８８２号公報
【発明の概要】
【発明が解決しようとする課題】
【０００８】
上述した特許文献１に開示の複写機は、原稿載置ガラスがこの原稿載置ガラスとの間で段差のある筐体に囲まれている。このため、特許文献１に開示の複写機によると、複写機の利用者が、複写機により原稿の画像を読み取ったのち原稿を原稿載置ガラス上から取り除く際に、原稿を原稿載置ガラスと筐体との間の段差に引っ掛けてしまうことがある。このため、原稿を取り除く作業に支障が生ずるという問題がある。
【０００９】
本発明の目的は、上記課題を解決して、支障を起こさずに原稿を取り除くことができる画像読取装置を提供することである。
【課題を解決するための手段】
【００１０】
本発明の画像読取装置は、第１の面に読み取り用の原稿が戴置される原稿戴置領域を含む平板形状を有する読み取り用ガラスと、前記読み取り用ガラスの前記第１の面の反対側の面を開口部により支える中空筐体部材と、を備え、前記原稿戴置領域を前記第１の面の上で所定の向きに平行移動して得られる領域が略平坦に形成されている。
【発明の効果】
【００１１】
本発明によれば、支障を起こさずに原稿を取り除くことができる画像読取装置を提供することができる。
【図面の簡単な説明】
【００１２】
【図１】本発明の第１の実施の形態に係る画像読取装置の一例を示す図である。
【図２】本発明の第２の実施の形態に係る画像読取装置の一例を示す図である。
【図３】図２で示す画像読取装置の分解図の一例を示す図である。
【図４】図２で示す画像読取装置のＡＡ’断面の一例を示す断面図である。
【図５】本発明の第３の実施の形態に係る画像読取装置の一例を示す図である。
【図６】図５で示す画像読取装置の分解図の一例を示す図である。
【図７】図５で示す画像読取装置のＡＡ’断面の一例を示す断面図である。
【図８】関連技術における複写機の一例を示す図である。
【図９】図８に示す関連技術において原稿載置ガラス上に原稿が載置された状態を示す図である。
【図１０】原稿載置ガラスを囲って筐体が設けられている関連技術における画像読取装置の一例を示す図である。
【発明を実施するための形態】
【００１３】
次に、本発明の実施の形態について図面を参照して説明する。
（第１の実施の形態）
図１は、本発明の第１の実施の形態に係る画像読取装置の一例を示す図である。
【００１４】
本実施の形態に係る画像読取装置１は、読み取り用ガラス２と、中空筐体部材３とにより構成される。図１には、読み取り用ガラス２上の原稿戴置位置に載置された原稿も記載してある。
【００１５】
読み取り用ガラス２は、第１の面（例えば、上面（表面））に読み取り用の原稿が戴置される原稿戴置領域を含む平板形状を有する。そして、原稿戴置領域を第１の面の上で所定の向きに平行移動して得られる領域が略平坦に形成されている。読み取り用ガラス２は、画像読取装置１上面に設置されこの画像読取装置１上面の略全域を覆う。中空筐体部材３は、読み取り用ガラス２の第１の面の反対側の面（例えば、下面（裏面））を開口部により支える。中空筐体部材３は、読み取り用ガラス２の下面に、例えばウレタン系の接着剤により接合され、読み取り用ガラス２を支える。読み取り用ガラス２と中空筐体部材３との間の空間（中空筐体部材３の中空部分）に、画像読取装置１の画像読み取り機構（不図示）が設定される。画像読み取り機構とは、原稿から画像を読み取る光学モジュールと、この光学モジュールを主走査方向及び副走査方向へ走査するための光学モジュール牽引機構等である。
【００１６】
ここで、画像読取装置１の利用者は、読み取り用ガラス２に原稿を載置し、例えば読み取り開始スイッチ（不図示）を押すと、画像読取装置１は、画像読み取り機構（不図示）により所定の読み取り開始位置から原稿の画像を読み取る。そして、画像の読み取りが終了すると、画像読取装置１の利用者は、原稿を読み取り用ガラス２上から取り除く。このとき、読み取り用ガラス２は、平板形状を有し、原稿戴置領域を第１の面の上で所定の向き（例えば、原稿を取り除く方向）に平行移動して得られる領域が略平坦に形成されている。このため、画像読取装置１の利用者は、原稿を画像読取装置１上面からどこにも引っ掛けることなく取り除くことができる。
【００１７】
このように、本発明の第１の実施の形態によれば、読み取り用ガラスが平板形状を有し、原稿戴置領域を第１の面の上で所定の向き（例えば、原稿を取り除く方向）に平行移動して得られる領域が略平坦に形成されている。このため、画像の読み取りが終了し、画像読取装置の利用者が原稿を読み取り用ガラス上から取り除く際、原稿を引っ掛かることがない。このため、支障を起こさずに原稿を取り除くことができる。
（第２の実施の形態）
図２は、本発明の第２の実施の形態に係る画像読取装置の一例を示す図である。
【００１８】
本第２の実施の形態は、第１の実施の形態の中空筐体部材３を上部連結部材５と筐体下部部材４に分けて構成するとともに、第１の実施の形態をより具体化したものである。したがって、主に第１の実施の形態と相違する部分について説明する。
【００１９】
本実施の形態に係る画像読取装置１は、読み取り用ガラス２と、上部連結部材５と、筐体下部部材４と、主走査スケール８と、副走査スケール９と、外装カバー６とにより構成される。図２では、内部の構造を示すために外装カバー６を便宜上取り外してある。また、図２には、読み取り用ガラス２上の原稿戴置位置に載置された原稿も記載してある。
【００２０】
上部連結部材５は、読み取り用ガラス２の下面の副走査方向に平行してこの下面の両端に接合される下側に伸びた複数の部材である。上部連結部材５は、読み取り用ガラス２の下面に、例えばウレタン系の接着剤により接合される。筐体下部部材４は、読み取り用ガラス２の下面に接合された上部連結部材５と、例えばネジにより結合し画像読取装置１を支える。すなわち、筐体下部部材４は、読み取り用ガラス２と同形状の平板であり副走査方向に平行してこの平板の両端に上側に伸びた複数の縦壁部を有しこの縦壁部により上部連結部材５と例えばネジにより結合する。読み取り用ガラス２と筐体下部部材４との間の空間に、画像読取装置１の画像読み取り機構（不図示）が設定される。
【００２１】
主走査スケール８と副走査スケール９とは、読み取り用ガラス２上の副走査方向の上流側と原稿載置時の奥側（すなわち、主走査方向の下流側）の端部に直角に配置する。これらのスケールは、読み取り用ガラス２上への原稿載置時に原稿端を突き当てて位置決めするための突き当てと原稿スケールとを兼ねている。主走査スケール８と副走査スケール９の材料は例えば樹脂であり、読み取り用ガラス２上に例えばウレタン系の接着剤で接合する。主走査スケール８及び副走査スケール９は、原稿の突き当て用として使用するため若干の厚みがあり、読み取り用ガラス２上で段差となる。
【００２２】
外装カバー６は、画像読取装置１の側面をカバーするものであり、画像読取装置１の前面、左面、及び右面の各側面に取り付ける。後面には、画像読取装置１を電気的に稼働させるためのケーブル等を接続するため、取り付けていない。そして、外装カバー６のうち画像読取装置１の前側（前面）をカバーする部分は、カバーする位置に設定したときに、外装カバー６の上面と読み取り用ガラス２上面との間で段差が生じない厚さである。外装カバー６の材料は例えば樹脂である。
【００２３】
次に、本発明の第２の実施の形態に係る画像読取装置を図３及び図４を参照して詳細に説明する。
【００２４】
図３は、図２で示す画像読取装置の分解図の一例を示す図である。この図では、ガラスＡＳＳＹ７（ガラスアッセイ）と、筐体下部部材４と、前面、左面、及び右面の各側面に取り付ける外装カバー６とを示している。ガラスＡＳＳＹ７は、読み取り用ガラス２の下面に上部連結部材５を接合し、読み取り用ガラス２の上面に主走査スケール８と副走査スケール９を接合したものである。筐体下部部材４には副走査方向に平行した両端に上側に伸びた複数の縦壁部がある。ガラスＡＳＳＹ７の上部連結部材５と筐体下部部材４の縦壁部とを例えばネジで連結する。外装カバー６は、ガラスＡＳＳＹ７と筐体下部部材４とを連結した結合体に、例えば、ネジ止めしはめ込む等により固定する。
【００２５】
図４は、図２で示す画像読取装置１のＡＡ’断面の一例を示す断面図である。読み取り用ガラス２と前面の外装カバー６との間には段差がない。読み取り用ガラス２の下面に接合された上部連結部材５は筐体下部部材４の縦壁部と、例えばネジにより連結する。
【００２６】
ここで、画像読取装置１の利用者は、読み取り用ガラス２の主走査スケール８と副走査スケール９とに原稿端を突き当てて、読み取り用ガラス２上に原稿を載置する。そして、例えば読み取り開始スイッチ（不図示）を押すと、画像読取装置１は、画像読み取り機構（不図示）により所定の読み取り開始位置から原稿の画像を読み取る。そして、画像の読み取りが終了すると、画像読取装置１の利用者は、原稿を読み取り用ガラス２上から取り除く。
【００２７】
このとき、次の理由により、画像読取装置１の利用者は、読み取り用ガラス２上から原稿を段差に引っ掛けずに取り除くことができる。すなわち、読み取り用ガラス２は、画像読取装置１上面の略全域を覆っている。そして、図２に示すように、読み取り用ガラス２上で段差となる主走査スケール８と副走査スケール９は、副走査方向の上流側（読み取り用ガラス２の左側）と原稿載置時の奥側（主走査方向の下流側）の読み取り用ガラス２上の端部に直角に配置している。また、図４に示すように、読み取り用ガラス２と前面の外装カバー６との間にも段差がない。このように、画像読取装置１の原稿を取り除く側（画像読取装置１の前面側）の読み取り用ガラス２の近辺には段差がない。このため、画像読取装置１の利用者は、読み取り用ガラス２上から原稿を段差に引っ掛けずに取り除くことができる。
【００２８】
このように、本発明の第２の実施の形態によれば、読み取り用ガラスが画像読取装置上面の略全域を覆っており、原稿戴置位置から原稿を取り除く側（画像読取装置の前面側）の読み取り用ガラス近辺にわたって段差がない。このため、画像の読み取りが終了し、画像読取装置の利用者が原稿を読み取り用ガラス上から取り除く際、原稿が段差に引っ掛かることがない。このため、支障を起こさずに原稿を取り除くことができる。
【００２９】
また、本発明の第２の実施の形態によれば、読み取り用ガラスの周囲にあるのは外装カバーだけであり、読み取り用ガラスを囲う筐体がない。このため、画像読取装置の筐体を小型にできる。また、読み取り用ガラスを囲っている筐体分の材料（例えば、樹脂）が不要となるので、費用を削減でき、この材料分軽量にすることができる。
（第３の実施の形態）
図５は、本発明の第３の実施の形態に係る画像読取装置の一例を示す図である。
【００３０】
本第３実施の形態は、第１の実施の形態をより具体化したものである。したがって、主に第１の実施の形態と相違する部分について説明する。
【００３１】
本実施の形態に係る画像読取装置１０は、読み取り用ガラス２と、上部連結部材１１と、筐体下部部材１２と、上部外装部材１３と、主走査スケール８と、副走査スケール９と、外装カバー１４とにより構成される。図５には、読み取り用ガラス２上の原稿戴置位置に載置された原稿も記載してある。図５では、上部連結部材１１と筐体下部部材１２とは、画像読取装置１０の側面を覆う外装カバー１４に隠れている（後述する図６で明示されている）。
【００３２】
上部連結部材１１は、読み取り用ガラス２の下面の周縁（例えば、４辺のそれぞれの端部）に接合され下側に伸びた先で縁部を備える複数の部材である。読み取り用ガラス２と上部連結部材１１は例えばウレタン系の接着剤で接合する。
【００３３】
筐体下部部材１２は、読み取り用ガラス２と同形状の平板の中央部を窪めた凹形状を有しこの凹形状の上端に縁部を備えこの縁部と上部連結部材１１の縁部とを結合する。
【００３４】
上部外装部材１３は、中央部分が空のロの字形状を有し読み取り用ガラス２の周囲に設定し（例えば、はめ込み）、設定したときに読み取り用ガラス２との間で段差が生じない厚さを有する。上部外装部材１３の材料は例えば樹脂である。
【００３５】
主走査スケール８と副走査スケール９とは、読み取り用ガラス２上の副走査方向の上流側と原稿載置時の奥側（すなわち、主走査方向の下流側）の端部に直角に配置する。これらのスケールは、読み取り用ガラス２上への原稿載置時に原稿端を突き当てて位置決めするための突き当てと原稿スケールとを兼ねている。主走査スケール８と副走査スケール９の材料は例えば樹脂であり、読み取り用ガラス２上に例えばウレタン系の接着剤で接合する。主走査スケール８と副走査スケール９とは、ウレタン系の接着剤で読み取り用ガラス２上に接合され若干の厚みがあり、読み取り用ガラス２上で段差となる。
【００３６】
外装カバー１４は、画像読取装置１０の側面をカバーするものであり、画像読取装置１０の前面、左面、及び右面をカバーするＵ字形状を有する。後面には、画像読取装置１０を電気的に稼働させるためのケーブル等を接続するためカバーする部分がない。そして、外装カバー１４のうち前側（前面）をカバーする部分は、カバーする位置に設定したときに、外装カバー１４の上面と読み取り用ガラス２上面との間で段差が生じない厚さである。外装カバー１４の材料は例えば樹脂である。
【００３７】
次に、本発明の第３の実施の形態に係る画像読取装置を図６及び図７を参照して詳細に説明する。
【００３８】
図６は、図５で示す画像読取装置の分解図の一例を示す図である。
この図では、上部外装部材１３と、ガラスＡＳＳＹ１５（ガラスアッセイ）と、筐体下部部材１２と、Ｕ字形状の外装カバー１４とを示している。
【００３９】
ガラスＡＳＳＹ１５は、読み取り用ガラス２の下面に上部連結部材１１を接合し、読み取り用ガラス２の上面に主走査スケール８と副走査スケール９を接合したものである。
【００４０】
筐体下部部材１２は、読み取り用ガラス２と同形状の平板の中央部を窪めた凹形状を有しこの凹形状の上端に縁部を備えている。この縁部とガラスＡＳＳＹ１５の上部連結部材１１の縁部とを例えばネジで結合し、ガラスＡＳＳＹ１５を筐体下部部材１２に連結する。図６では、筐体下部部材１２の底部に副走査方向に沿って数本の起伏を設けてある。この数本の起伏は、主走査方向に沿って設けても良い。この数本の起伏により、筐体下部部材の底部の強度が向上し、底部の平面度を確保することができる。
【００４１】
上部外装部材１３は、中央部分が空のロの字形状を有し読み取り用ガラス２の周囲に例えば、はめ込む。上部外装部材１３は、はめ込んだときに読み取り用ガラス２との間で段差が生じない厚さである。
【００４２】
外装カバー１４は、Ｕ字形状を有し、ガラスＡＳＳＹ１５と筐体下部部材１２と上部外装部材１３とを結合した結合体に、画像読取装置１０の前側から例えばはめ込む。このため、外装カバー１４は画像読取装置１０の内部構造体に影響されないので、外装カバー１４を、バリエーションのある外装として対応させることが可能となる。また、外装カバー１４を変える等、画像読取装置１０の着せ替えが可能となる。更に、外装カバー１４の部材が内部構造体と離れているので、外装カバー１４の樹脂の難燃性グレード等を落とすことにより、外装カバー１４に安価な樹脂材を採用することができる。
【００４３】
図７は、図５で示す画像読取装置のＡＡ’断面の一例を示す断面図である。読み取り用ガラス２と上部外装部材１３との間には段差がない。また、読み取り用ガラス２と画像読取装置１０の前面側の外装カバー１４との間にも段差がない。読み取り用ガラス２の端部から外装カバー１４の前面側の端部までの距離は高々例えば１ｃｍ程度である。読み取り用ガラス２の下面に接合された上部連結部材１１はその縁部により、筐体下部部材１２の縁部と例えばネジにより連結する。すなわち、ガラスＡＳＳＹ１５の上部連結部材１１の縁部と筐体下部部材１２の縁部とを例えばネジにより連結することにより、ガラスＡＳＳＹ１５と筐体下部部材１２との間の空間の密閉性が獲得できる。また、ガラスＡＳＳＹ１５と筐体下部部材１２との強度も確保できるので、結合されたガラスＡＳＳＹ１５と筐体下部部材１２との結合体をコアユニットとして輸送することが可能となる。
【００４４】
ここで、画像読取装置１０の利用者が、画像読取装置１０に原稿を読み取らせる動作を行うとする。すなわち、画像読取装置１０の利用者が、読み取り用ガラス２の主走査スケール８と副走査スケール９とに原稿端を突き当てて、読み取り用ガラス２上に原稿を載置する。そして、例えば読み取り開始スイッチ（不図示）を押す。すると、画像読取装置１０は、画像読み取り機構（不図示）により所定の読み取り開始位置から原稿の画像を読み取る。そして、画像の読み取りが終了すると、画像読取装置１０の利用者は、原稿を読み取り用ガラス２上から取り除く。
【００４５】
このとき、次の理由により、画像読取装置１０の利用者は、読み取り用ガラス２上から原稿を段差に引っ掛けずに取り除くことができる。すなわち、読み取り用ガラス２は、画像読取装置１０上面の略全域を覆っている。そして、図５に示すように、読み取り用ガラス２上で段差となる主走査スケール８と副走査スケール９は、副走査方向の上流側（読み取り用ガラス２の左側）と原稿載置時の奥側（主走査方向の下流側）の読み取り用ガラス２上の端部に直角に配置している。また、図７に示すように、読み取り用ガラス２と上部外装部材１３との間には段差がない。更に、読み取り用ガラス２と画像読取装置１０の前面側の外装カバー１４との間にも段差がない。このように、画像読取装置１０の原稿を取り除く側（画像読取装置１０の前面側）の読み取り用ガラス２の近辺には段差がない。このため、画像読取装置１０の利用者は、読み取り用ガラス２上から原稿を段差に引っ掛けずに取り除くことができる。
【００４６】
このように、本発明の第３の実施の形態によれば、読み取り用ガラスが画像読取装置上面の略全域を覆っており、原稿戴置位置から原稿を取り除く側（画像読取装置の前面側）の読み取り用ガラス近辺にわたって段差がない。このため、画像の読み取りが終了し、画像読取装置の利用者が原稿を読み取り用ガラス上から取り除く際、原稿が段差に引っ掛かることがない。このため、支障を起こさずに原稿を取り除くことができる。
【００４７】
また、本発明の第３の実施の形態によれば、読み取り用ガラスの周囲にあるのは外装カバーと上部外装部材だけであり、読み取り用ガラスを囲う筐体がない。図７で示すように、読み取り用ガラスの端部から外装カバーの端部までの距離は高々１ｃｍ程度であり、上部連結部材と外装カバーの材料（樹脂）の量も、読み取り用ガラスを囲った際の筐体の材料の量と比べて少ない。このため、画像読取装置の筐体を小型にできる。また、読み取り用ガラスを囲っている筐体分の材料（例えば、樹脂）が不要となるので、費用を削減でき、この材料分軽量にすることができる。
【００４８】
更に、本発明の第３の実施の形態によれば、図６に示すように、外装カバーは、Ｕ字形状を有し、画像読取装置の前面側からはめ込むので、外装カバーは画像読取装置の内部構造体に影響されない。このため、外装カバーを、バリエーションのある外装として対応させることが可能となる。また、外装カバーを変える等、画像読取装置の着せ替えが可能となる。更に、外装カバーの部材が内部構造体と離れているので、外装カバーの樹脂の難燃性グレード等を落とすことにより、外装カバーに安価な樹脂材を採用することができる。
【００４９】
また、本発明の第３の実施の形態によれば、図７に示すように、ガラスＡＳＳＹの上部連結部材の縁部と筐体下部部材の縁部とをネジにより連結する。このため、ガラスＡＳＳＹと筐体下部部材との間の空間の密閉性が獲得できる。また、ガラスＡＳＳＹと筐体下部部材との強度も確保できる。このため、結合されたガラスＡＳＳＹと筐体下部部材との結合体をコアユニットとして輸送することが可能となる。
【符号の説明】
【００５０】
１    画像読取装置
２    読み取り用ガラス
３    中空筐体部材
４    筐体下部部材
５    上部連結部材
６    外装カバー
７    ガラスＡＳＳＹ
８    主走査スケール
９    副走査スケール
１０    画像読取装置
１１    上部連結部材
１２    筐体下部部材
１３    上部外装部材
１４    外装カバー
１５    ガラスＡＳＳＹ
２０    原稿載置ガラス
２１    原稿スケール
２２    読み取り部
２３    筐体
２４    原稿スケールＡ
２５    原稿スケールＢ
【図１】
2014120876.tif 000003
【図２】
2014120876.tif 000004
【図３】
2014120876.tif 000005
【図４】
2014120876.tif 000006
【図５】
2014120876.tif 000007
【図６】
2014120876.tif 000008
【図７】
2014120876.tif 000009
【図８】
2014120876.tif 000010
【図９】
2014120876.tif 000011
【図１０】
2014120876.tif 000012